(57)【要約】      （修正有）【課題】ケーブルの抗干渉能力を高めるための高シールド性のケーブルを提供する。【解決手段】芯線セット１及び芯線セット周辺を覆うための絶縁被覆層２を備えてなり、該芯線セット及び被覆層の間には遮蔽層３が設けられ、該遮蔽層はグラフェンの伝導帯３０で、芯線セットをらせん状に巻き回してなり、本考案は、グラフェンの伝導帯を使用した遮蔽層により、現有製品のように錫メッキ銅線で編まれた銅メッシュ採用の遮蔽層に対して、電磁波遮蔽、信号遮蔽效果がより良く、本考案のケーブルは柔軟性がより良く、耐屈曲、弾性限界の性能が向上し、ＨＤＭＩ（登録商標）ケーブル、ＵＳＢケーブル、ＴＹＰＥ−Ｃケーブルに広く応用することが可能である。【選択図】図２
0003221403.tif 000002
【実用新案登録請求の範囲】
【請求項１】
芯線セット (1) 、及び芯線セット (1) の周辺を覆うための絶縁被覆層 (2)を備え、 
該芯線セット (1) 及び被覆層 (2) の間には、遮蔽層 (3)が設けられ、該遮蔽層 (3) はグラフェンの伝導帯 (30) で、芯線セット (1) をらせん状に巻き回してなるものであることを特徴とする高シールド性のケーブル。
【請求項２】
該芯線セット (1) 及び遮蔽層 (3) の間には、内遮蔽層 (4)が設けられ、該内遮蔽層 (4) はアルミ箔で、芯線セット (1) を巻き回してなり、該遮蔽層 (3) は、内遮蔽層 (4) を被覆するように設けられることを特徴とする請求項1に記載の高シールド性のケーブル。
【請求項３】
該ケーブルは、HDMI（登録商標）ケーブル、USBケーブル、TYPE-Cケーブルの何れかの一つであることを特徴とする請求項1に記載の高シールド性のケーブル。
【考案の詳細な説明】
【技術分野】
【０００１】
本考案は、ケーブルに関わる技術分野で、 特にケーブルの抗干渉能力を高めるための高シールド性のケーブルである。 
【背景技術】
【０００２】
従来のケーブルは、芯線セット、及び芯線セットを覆うための絶縁層を備えてなり、芯線は通常、銅芯の巻線で使用され、絶縁層は通常、ゴム、PVC、シリコン、ナイロンなどの材料で作られている。
【０００３】
データ伝送速度を高め、外部干渉信号を防ぐため、ケーブルの中には通常、干渉信号除去の遮蔽層を設ける必要があり、図1に示すのは、現在の普及されているケーブルの一種であり、複数の芯線からなる芯線セット51、芯線セット51を覆うための遮蔽層52、一番外にある絶縁被覆層53を備えてなり、芯線セット51の芯線は銅芯の巻線が使用され、その数量は、ケーブルの規格、種類に応じて設けられるものであり、遮蔽層52は通常、編まれた銅メッシュに設けられ、遮蔽層52によって、芯線セット51全体を覆うように設けられ、一番外にある絶縁保護層は通常、PVC又はナイロンで作られ、そのようなケーブルでは、遮蔽層52とされる銅メッシュは通常、錫メッキ銅線で編まれてなり、データ伝送の要求が高まるのに伴い、そのような従来のケーブルでは、その要求を満たすことができなくなり、次のような欠点がある。 
【０００４】
1. 錫メッキ銅線で編まれた銅メッシュ採用の遮蔽層は、作り方が複雑であること。
2. 銅メッシュ採用の遮蔽層では、ケーブル全体の柔軟性が足りず、それと同時に、ケーブルの直径が大きいこと。
3. 銅メッシュ採用の遮蔽層では、ケーブルを使用しているとき、繰り返しの屈曲や、引っ張りにより、銅メッシュが緩みやすく、ないし編み用の錫メッキ銅線が切れたりして、遮蔽効果が弱まること。 
【０００５】
一方、グラフェンの技術発展に伴い、それが材料学、電気学、光学などの分野に応用され、例えば、グラフェンは、優れた高強度かつじん性という力学特性を有し、理論上、ヤング率1.0TPa、固有の引張り強さ130GPaを有し、そして、一般的な金属材料より、電子的効果が優れている。 
【考案の開示】
【考案が解決しようとする課題】
【０００６】
本考案上述の問題点を解決するもので、その目的は、ケーブルの抗干渉能力を高めるための高シールド性のケーブルを提供することである。
【０００７】
上述した内容に基づき、本考案者は種々の試験を続けてから、次のような技術案を提出する。    
【課題を解決するための手段】
【０００８】
前記問題点を解決でき、上記目的を達成するために、高シールド性のケーブルは、芯線セット、及び芯線セット周辺を覆うための絶縁被覆層を備えてなり、該芯線セット及び被覆層の間には、遮蔽層が設けられ、該遮蔽層はグラフェンの伝導帯で、芯線セットをらせん状に巻き回してなるものである。
【０００９】
該芯線セット及び遮蔽層の間には、内遮蔽層が設けられ、該内遮蔽層はアルミ箔で、芯線セットを巻き回してなり、該遮蔽層は、内遮蔽層を被覆するように設けられることが好ましい。
【００１０】
該ケーブルは、HDMI（登録商標）ケーブル、USBケーブル、TYPE-Cケーブルの何れかの一つであることが好ましい。本考案は、従来の技術と比べて、次に列挙する効果がある。
【００１１】
本考案は、グラフェンの伝導帯を使用した遮蔽層により、現有製品のように錫メッキ銅線で編まれた銅メッシュ採用の遮蔽層に対して、電磁波遮蔽、信号遮蔽效果がよりよく、 本考案のケーブルは柔軟性がよりよく、耐屈曲、弾性限界の性能が向上し、HDMI（登録商標）ケーブル、USBケーブル、TYPE-Cケーブルに広く応用される。 
【図面の簡単な説明】
【００１２】
【図１】現有ケーブルの構造を示す正面図である。
【図２】本考案の実施例一の構造を示す正面図である。
【図３】本考案の実施例二の構造を示す正面図である。
【考案を実施するための形態】
【００１３】
本考案の実施の形態は、図面を参照して以下説明される。図２は本考案の実施例一を示す正面図である。本考案に係る物品は、高シールド性のケーブルであり、図2に示すのは本考案の実施例一で、芯線セット1、被覆層2と遮蔽層3を備えてなるものである。
【００１４】
芯線セット1は従来のケーブルと同じく、ケーブルの規格とタイプに応じて設けられ、複数の芯線10を備えてなり、芯線10は通常、銅芯の巻線で使用されている。 
【００１５】
遮蔽層3は、グラフェンの伝導帯30からなり、グラフェンの伝導帯30は幅5-10mmのバンド体であり、巻線機を使用して、グラフェンの伝導帯30を、芯線セット1にらせん状に巻き回かせるように設けられ、巻き回れているとき、巻かれている隣接するグラフェンの伝導帯30間には重なったエリアが形成され、それによって、芯線セット1全体が完全に覆われるように確保され、グラフェンの伝導帯30の設置により、芯線セット1への遮蔽効果を有すると同時に、芯線セット1が巻き回れ、固定される。 
【００１６】
被覆層2は、PVC又はナイロン、ゴム等の材料で、 遮蔽層3を被覆し、ケーブル全体を保護、固定するように設けられている。そして、ケーブル全体の横断面は、円形又は平らな円形でもよく、本考案はそれに制限されないものとする。 
【００１７】
本考案は種々のタイプのケーブル、例えば、HDMI（登録商標）ケーブル、USBケーブル、TYPE-Cケーブルに応用される。 
【００１８】
HDMI（登録商標）ケーブルを例とし、本実施例一と図1に示す従来のケーブルを比較すると、次のような結果が出てくる。 
【００１９】
1. 本実施例一は、従来のケーブルより、EMI (電池波障害) 対策、 高周波信号伝送の性能が顕著に優れている。
2. 製品の物理的性能試験の結果により、本実施例一は従来のケーブルより、耐屈曲、弾性限界が少なくとも80%以上高まること。 
【００２０】
図3に示すのは本考案の実施例二であり、本実施例二は実施例一に対して、内遮蔽層4が追加設置され、即ち、該芯線セット1及び遮蔽層3の間には、内遮蔽層4が設けられ、該内遮蔽層4はアルミ箔で、芯線セット1を巻き回してなり、同じく、らせん状に巻き回すように設けられている。 
【００２１】
本実施例二における内遮蔽層4の追加は信号伝送時の抗干渉を高めるために、特定種類のケーブルを対象として設置され、例えばUSB2.0がそれである。 
【００２２】
上述の事柄をまとめると、本考案は既有技術に対して、優れた抗干渉、遮蔽效果があり、ケーブルは、より優れたじん性、耐屈曲、弾性などのメリットを有し、それに、従来の銅メッシュに代わって、グラフェンの伝導帯を使用した遮蔽層により、ケーブル直径が更に小さくなり、ケーブル全体の重さが低減されること。 
【００２３】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２４】
1      芯線セット
10     芯線   
2      被覆層 
3      遮蔽層 
30     伝導帯        
4      内遮蔽層
51     芯線セット
52     遮蔽層
53     絶縁被覆層
【図１】
0003221403.tif 000003
【図２】
0003221403.tif 000004
【図３】
0003221403.tif 000005